(57)【特許請求の範囲】
【請求項１】
椅子本体と、この椅子本体の座部の前側に設けられた足載せ台と、この足載せ台の各施療袋に空気を繰返し給排気して前記各施療袋を膨縮させるエアー給排気装置と、を具備し、
前記足載せ台が、エアーの給排気により膨縮される前記施療袋を有した複数の施療部が、マッサージ具本体に形成された施療溝に、この溝の長手方向に沿って並設され、前記施療溝に収容される人体の下腿を前記複数の施療部の膨縮でマッサージするマッサージ具で形成されるとともに、
前記施療部の内で前記施療溝に収容される人体の前記下腿の心臓から遠い方の被施療部分である足首側部分を施療する施療部ほど前記施療袋が多く使用されていて、これら複数の施療袋を有した施療部の各施療袋に、前記施療溝を作る溝側面に重なって配置される外側の施療袋と前記足首側部分に臨む内側の施療袋とを使用するとともに、これら内外二つの施療袋はその外面を接して互いに重ねられた構成であり、
前記エアー給排気装置が、互いに重ねられている前記複数の施療袋への給排気の際に、これら施療袋の内のいずれか１つの施療袋である前記外側の施療袋を、その他の施療袋である前記内側の施療袋より早く所定の膨張圧まで膨張させてその膨張をマッサージが終わるまで保持し、この膨張保持状態で前記その他の施療袋である前記内側の施療袋を繰返し膨縮させることを特徴とするマッサージ機。
【発明の詳細な説明】
【０００１】
【発明の属する技術分野】
本発明は、人体の手や足をマッサージするのに好適なマッサージ機に関する。
【０００２】
【従来の技術】
人体の下腿をマッサージするマッサージ具の中には、マッサージ具本体に形成された各部同一幅の施療溝に、この溝の長手方向に沿って施療袋を並設し、各施療袋をそれらへの空気の給排気により繰返し膨縮させて、施療溝に収容された人体の下腿をマッサージするものがある。
【０００３】
人体の下腿は膝側部分よりも足首側部分の方が細くなっている。そのため、各部の幅が同じ施療溝に同じ大きさの施療袋を配置している従来の構成では、下腿の足首側部分用の施療袋が足首側部分を圧迫する力が、下腿の膝側部分用の施療袋が膝側部分を圧迫する力より低下する。この改善のために、下腿の足首側部分を施療する施療袋を、下腿の膝側部分を施療する施療袋より大きくして、その膨張高さを増やし圧迫力を高める場合がある。
【０００４】
しかし、大きい施療袋を使用すると、この大きい施療袋を所定の硬さに膨張させるのに必要な空気量が増えて、その膨縮の時間が長くなるので、所定時間内での施療袋の膨縮回数が少なくなる。しかも、大きい施療袋を使用すると、人体の下腿を圧迫する部分が大きくなるので、マッサージ刺激のめりはりが弱くなるとともに、この大きな施療袋を支持する面積を広く要するので、施療溝が深くなってマッサージ具が大形となり易い。更に、施療袋が大きいほど、それが膨張した際に、施療袋の周部を中心とする施療袋両面の開き角度が大きくなる。そのため、施療袋の周部が熱融着でシールされている場合には、シール部への負荷が大きくなって耐久性を損ない易い。
【０００５】
【発明が解決しようとする課題】
本発明が解決しようとする課題は、肢体各部の太さの違いに拘わらず効率良くマッサージできるマッサージ機を得ることにある。
【０００６】
【課題を解決するための手段】
前記課題を解決するために、本発明は、椅子本体と、この椅子本体の座部の前側に設けられた足載せ台と、この足載せ台の各施療袋に空気を繰返し給排気して前記各施療袋を膨縮させるエアー給排気装置と、を具備し、前記足載せ台が、エアーの給排気により膨縮される前記施療袋を有した複数の施療部が、マッサージ具本体に形成された施療溝に、この溝の長手方向に沿って並設され、前記施療溝に収容される人体の下腿を前記複数の施療部の膨縮でマッサージするマッサージ具で形成されるとともに、前記施療部の内で前記施療溝に収容される人体の前記下腿の心臓から遠い方の被施療部分である足首側部分を施療する施療部ほど前記施療袋が多く使用されていて、これら複数の施療袋を有した施療部の各施療袋に、前記施療溝を作る溝側面に重なって配置される外側の施療袋と前記足首側部分に臨む内側の施療袋とを使用するとともに、これら内外二つの施療袋はその外面を接して互いに重ねられた構成であり、前記エアー給排気装置が、互いに重ねられている前記複数の施療袋への給排気の際に、これら施療袋の内のいずれか１つの施療袋である前記外側の施療袋を、その他の施療袋である前記内側の施療袋より早く所定の膨張圧まで膨張させてその膨張をマッサージが終わるまで保持し、この膨張保持状態で前記その他の施療袋である前記内側の施療袋を繰返し膨縮させることを特徴としている。
【０００７】
人体の下腿の心臓に近い方の膝側部分の太さに比較して、人体の下腿の心臓から遠い方の足首側部分の太さが細いことは知られている。この条件下において本発明は、各施療部の施療袋の使用枚数を、太さが細い足首側部分を施療する施療部ほど多くしかつ重ねて設けて、それらの膨縮により、太さが細い足首側部分をマッサージするので、太さが細い足首側部分をマッサージするのに、大きな施療袋を使用する必要がない。更に、互いに重なった施療袋の内の外側の施療袋を所定の膨張圧まで膨張させるとともにそれ以降マッサージが終わるまで膨張を維持させたままで、内側の施療袋を膨縮させて、人体の下腿の足首側部分をその側方からマッサージするので、所定時間内でのマッサージ回数が多くなり効率よくマッサージができる。
【０００８】
【発明の実施の形態】
以下、図１〜図５を参照して本発明の参考例を説明する。
【０００９】
図１に示す椅子式のマッサージ機１は、椅子本体２と、マッサージ具としての足載せ台３と、図５に一部の構成を示すエアー給排気装置４とを具備して構成されている。
【００１０】
椅子本体２は、幅方向両側に肘掛けを兼ねる側枠１１が夫々設けられた座部１２の後側に背もたれ部１３を設けている。背もたれ部１３はリクライニング可能であってもなくてもよい。この椅子本体２には施療要素として繰返し膨脹収縮して使用される第１〜第４の施療袋１４〜１８が取付けられている。
【００１１】
椅子本体２に着座した着座者の肩部をマッサージする一対の第１施療袋１４は、背もたれ部１３の上部に幅方向に並べて配置されている。着座者の背中をマッサージする第２施療袋１５は、第１施療袋１４の下側に位置して背もたれ部１３の幅方向中央部に配置されている。着座者の腰部をマッサージする一対の第３施療袋１６は、第２施療袋１５の下側に位置して背もたれ部１３の下部に幅方向に並べて配置されている。着座者の尻部をマッサージする第４施療袋１７は、座部１２の後部にこの座部１２の幅方向に延びて配置され、着座者の腿部をマッサージする第５施療袋１８は、座部１２の前部にこの座部１２の幅方向に延びて配置されている。なお、図１中符号１９は、エアー給排気装置４への給電用の電源コードを示し、一方の側枠１１から導出されている。
【００１２】
足載せ台３は、座部１２の前側に連結されていて、図示しない枢軸を支点として図示しない駆動手段により、図１に示すように座部１２の前縁から下方に略垂直に立てて配置される第１位置と、この位置から前記枢軸を中心に回動し座部１２の前方に突出して略水平に配置される第２位置とにわたり移動可能で、これら両位置間を含めて選択的に配置できる。
【００１３】
図１〜図４に示すように足載せ台３は、マッサージ具本体としての台本体２０に、複数例えば一対の施療部２１、２２を設けた構成を備えている。この足載せ台３全体は布などの柔軟性を有するカバーで覆われている。
【００１４】
台本体２０は、一対の側壁２３間にこれらと略平行な中間壁２４を設けて、隣接する側壁２３と中間壁２４との間に夫々施療溝２５を有して形成されている。これら一対の施療溝２５は、前記第２位置に足載せ台３が配置された状態で椅子本体２に着座した着座者からみて前後両端及び上端が夫々開放されたＵ字状をなしている。両施療溝２５はその開放された上端を通して着座者の下肢の下腿（被施療部分）を容易に出し入れできるように上側ほど次第に広くなっているが、長手方向の各部の幅は略同じに形成されている。
【００１５】
施療部２１、２２は施療溝２５にその長手方向に沿って並設されている。具体的には、一方の施療部２１は、施療溝２５に収容される人体の下腿の内で足首側部分Ａ（図３中２点鎖線参照）のマッサージを担うものであって、施療溝２５の前部、言い換えれば、足載せ台３の自由端部に寄せて配設されている。他方の施療部２２は、施療溝２５に収容される人体の下腿の内で膝側部分Ｂ（図４中２点鎖線参照）のマッサージを担うものであって、施療溝２５の後部、言い換えれば、座部１２に寄せて配設されている。
【００１６】
一方の施療部２１は、下腿の内で人体の心臓から遠い方の被施療部分である足首側部分Ａをマッサージするために設けられている。図２及び図３に示すように施療部２１は、空気の給排気により膨縮するエアーバッグからなる複数例えば２つの施療袋２６、２７を互いに重ねて形成されている。施療袋２６、２７の大きさは略同じである。
【００１７】
図３に示すように施療溝２５を作る壁面寄りに配置される外側の施療袋２６は、施療溝２５に対して一対設けられ、これら一対の施療袋２６はそれらから一体に延出された非膨張シート部２６ａで接続されている。同様に、施療溝２５に収容される下腿の足首側部分Ａに臨む内側の施療袋２７も、施療溝２５に対して一対設けられ、これら一対の施療袋２７はそれらから一体に延出された非膨張シート部２７ａで接続されている。両施療袋２６、２７は、互いに重なったシート部２６ａ、２７ａを、施療溝２５の内底面に沿わせて、この溝２５の底部に挿着されるねじなどの固定部品２８で取付けられている。この取付けにより、互いに重なった２組の施療袋２６、２７の内の一組の施療袋２６、２７が、施療溝２５の一方の溝側面、例えば中間壁２４の施療溝２５に臨んだ壁面２４ａに重なって配置され、かつ、他の組の施療袋２６、２７が、施療溝２５の他方の溝側面、例えば側壁２３の施療溝２５に臨んだ壁面２３ａに重なって配置されている。
【００１８】
他方の施療部２２は、下腿の内で人体の心臓に近い方の被施療部分である膝側部分Ｂをマッサージするために設けられている。図２及び図４に示すように施療部２２は、空気の給排気により膨縮するエアーバッグからなる施療袋２９で形成されている。施療袋２９は施療袋２６及び２７と略同じ大きさである。
【００１９】
図４に示すように施療袋２９は、施療溝２５に対して一対設けられ、これら一対の施療袋２９はそれらから一体に延出された非膨張シート部２９ａで接続されている。このシート部２９ａを、施療溝２５の内底面に沿わせて、この溝２５の底部に挿着されるねじなどの固定部品３０で取付けられている。この取付けにより、一対の施療袋２９の内の一方の施療袋２９が、施療溝２５の一方の溝側面である壁面２４ａに重なって配置され、かつ、他方の施療袋２９が、施療溝２５の他方の溝側面である壁面２３ａに重なって配置されている。
【００２０】
足載せ台３が備える各施療袋２６、２７、及び２９には、いずれも１枚のシートを二つ折りにして、或いは２枚のシートを合わせて、その周部を熱溶着によりシールして膨縮可能な袋体としたものが使用されている。
【００２１】
エアー給排気装置４は椅子本体２の座部１２の下側に配置されている。この給排気装置４は、図５に示すようにエアーポンプからなるエアー生成器３１、この生成器３１で生成された圧縮空気の流れを制御する第１〜第３の電磁式給排気弁３２〜３４、これらの弁３２〜３４に個別に接続された可撓性のエアーチューブ３６〜３８、及びエアー生成器３１と給排気弁３２〜３４とを制御する制御装置３９を備えて形成されている。制御装置３９にはこれに接続されたリモートコントローラ４０を介して適宜な運転指令が与えられる。図５中４１は図示しないロータリー式の分配弁等を介して背もたれ部１３の施療袋１４〜１８に給排気される空気を導く可撓性エアーチューブを示している。
【００２２】
エアー給排気装置４は、各施療袋２６、２７、２９に対して、これらに専用の給排気経路を介して独立に給排気するように構成されている。すなわち、第１〜第３の給排気弁３２〜３４は、いずれも給気ポート及び排気ポートを有している。図５に示すように第１給排気弁３２の給気ポートには第１のエアーチューブ３６が接続され、第２給排気弁３３の給気ポートには第２のエアーチューブ３７が接続されている。更に、第３給排気弁３４の給気ポートには第３のエアーチューブ３８が接続されている。
【００２３】
第１給排気弁３２及び第１エアーチューブ３６は、施療部２１が有する各施療袋２６に対する給排気を担い、第２給排気弁３３及び第２エアーチューブ３７は施療部２１が更に有する各施療袋２７に対する給排気を担っている。第３給排気弁３４及び第３エアーチューブ３８は、施療部２２が有する各施療袋２９に対する給排気を担っている。
【００２４】
前記構成を備えたマッサージ機１において足載せ台３を用いて、着座者の下腿をマッサージするには、例えば座部１２の前方に延びるように突出配置された足載せ台３の施療溝２５内に人体の下腿を収容した状態で、足載せ台３の施療部２１、２２を夫々繰返し膨縮動作させることで実行できる。
【００２５】
すなわち、始めに、制御装置３９の制御に従い、第１給排気弁３２がエアー生成器３１と第１エアーチューブ３６とを連通する給気ポジションに切換わると同時に、第２給排気弁３３がエアー生成器３１と第２エアーチューブ３７とを連通する給気ポジションに切換わる。それに伴い、エアー生成器３１で生成された圧縮空気が第１エアーチューブ３６を通して各施療袋２６に夫々導かれて、これらの袋２６が同期して膨脹すると同時に、エアー生成器３１で生成された圧縮空気が第２エアーチューブ３７を通して各施療袋２７に夫々導かれて、これらの袋２７が同期して膨脹する。
【００２６】
このように互いに重なっている施療袋２６、２７が夫々同期して膨張することにより、図３の右側部分に示されるように施療溝２５に既に収められている下腿の足首側部分Ａをその幅方向両側から挟んで圧迫できる。図３では、理解を容易にするために施療袋２６、２７の膨脹前の収縮状態を左側部分で描き、かつ、膨脹状態を右側部分で描いてある。
【００２７】
この圧迫動作中に制御装置３９は、第３給排気弁３４を給気ポジションに切換えてエアー生成器３１と第２エアーチューブ３８とを連通させる。それに伴い、エアー生成器３１で生成された圧縮空気が第３エアーチューブ３８を通して各施療袋２９に夫々導かれて、これらの袋２９が同期して膨脹する。これら施療袋２９の膨張により、図４の右側部分に示されるように施療溝２５に既に収められている下腿の膝側部分Ｂをその幅方向両側から挟んで圧迫できる。図４では、理解を容易にするために施療袋２９の膨脹前の収縮状態を左側部分で描き、かつ、膨脹状態を右側部分で描いてある。
【００２８】
施療袋２９が膨張して所定時間経過した時点で、制御装置３９は、第１〜第３の給排気弁３２〜３４をいずれも排気ポジションに切換えるとともに、エアー生成器３１の運転を中断させる。そのため、施療袋２６から排出されて第１給排気弁３２に逆流した空気が、この排気弁３２の排気ポートから大気中に放出されるとともに、施療袋２７から排出されて第２給排気弁３３に逆流した空気が、この排気弁３３の排気ポートから大気中に放出される。同様に、施療袋２９から排出されて第３給排気弁３４に逆流した空気が、この排気弁３４の排気ポートから大気中に放出される。したがって、施療部２１の両施療袋２６、２７、及び施療部２２の施療袋２９が、図３及び図４中左半分の状態で示すように収縮するに伴い、前記足首側部分Ａ及び膝側部分Ｂの圧迫を解消して、これらの被施療部分を弛緩させることができる。
【００２９】
この後、制御装置３９は、所定期間にわたって各給排気弁３２〜３４の給気ポジションと排気ポジションとを交互に繰返し切換えて、既述のように施療袋２６、２７、及び２９に対する給排気を実施させる。それにより、施療溝２５に納められている下腿の足首側部分Ａ及び膝側部分Ｂに対する圧迫と弛緩とを繰返すエアーマッサージができる。
【００３０】
このマッサージの終了とともに、制御装置３９での制御により、第１〜第３の給排気弁３２〜３４が共に排気ポジションに切換えられるとともに、エアー生成器３１が停止される。そのため、施療溝２５に対する人体の下腿の出し入れの妨げとなることがないように、各施療袋２６、２７、及び２９がいずれも収縮して、次のマッサージに備えて待機する。
【００３１】
以上のマッサージにおいて、下腿の各部の太さの違いにより、施療溝２５に収容された膝側部分Ｂと施療溝２５の溝側面との間には狭い隙間Ｓ１（図４参照）が設けられ、施療溝２５に収容された足首側部分Ａと施療溝２５の溝側面との間には前記隙間Ｓ１より広い隙間Ｓ２（図３参照）が設けられる。
【００３２】
しかし、既述のように膝側部分Ｂより細い足首側部分Ａをマッサージする施療部２１は、施療溝２５の幅方向に重なる複数の施療袋２６、２７を用いてその膨張で足首側部分Ａを圧迫し、足首側部分Ａより太い膝側部分Ｂをマッサージする施療部２１は、施療溝２５の幅方向について一重の施療袋２９を用いてその膨張で膝側部分Ｂを圧迫している。それにより、下腿の足首側部分Ａと膝側部分Ｂとの太さの違いに拘わらず、太さが細い足首側部分Ａをマッサージするのに所定の圧迫力を、互いに重なった二つの施療袋２６、２７の膨張で得ることができるので、足首側部分Ａを所定の圧迫力でマッサージするために膨張に伴う突出量を大きく確保できる大形で単一の施療袋を使用して、この袋を足載せ台３の自由端部側に配置する必要がない。
【００３３】
このように二つの施療袋２６、２７で足首側部分Ａをマッサージするので、両施療袋２６、２７を所定の硬さに膨張させてその重なり方向の合計突出量を所定値に確保するのに必要な空気量を、大きい施療袋を使用する場合に比較して減らすことができ、二つの施療袋２６、２７を膨縮させるに要する給気時間及び排気時間を夫々短くできる。そのため、所定時間内での施療袋２６、２７の膨縮回数を多く確保できるに伴い、効率良く人体の下腿をマッサージすることが可能である。
【００３４】
足首側部分Ａに接する内側施療袋２７は、膨張に伴う突出量を大きく確保するための大形で単一の施療袋に比較して小形であるので、足首側部分Ａを圧迫する部分が小さい。そのため、マッサージ刺激のめりはりを強くできる。又、以上のように重なった施療袋２６、２７が小形であるので、これらを支持するために施療溝２５の深さを大きくする必要がない。したがって、足載せ台３をその厚み方向に小形に形成する場合に適し、小形化した場合には、図１のように足載せ台３を座部１２の前に立てて配置したときに、この台３が着座者にとって邪魔になることを抑制できる。
【００３５】
周部が熱融着でシールされている施療袋はその形状が大きいほど、膨張に伴って周部を中心とする施療袋の両面の開き角度が大きくなり、それに伴い熱融着されているシール部の負荷が大きくなることは既述した。しかし、足首側部分Ａに必要な圧迫力を与える施療袋２６、２７が既述のように小形であることに伴い、膨張に伴う前記開き角度を小さくできる。そのため、シール部の負荷が小さくなり、よって、施療袋２６、２７の耐久性を向上できる。
【００３６】
又、参考例での下腿に対するマッサージは、既述のように下腿において心臓に遠い方から近い方に圧迫が順序立てて行なわれるので、心臓に血流を送りながらマッサージができる点で好ましい。
【００３７】
なお、参考例でのマッサージ動作において、制御装置３９が各給排気弁３２〜３４を給気ポジションから排気ポジションに切換えるタイミングは、施療部２２での膝側部分Ｂへの圧迫開始後に施療部２１での足首側部分Ａの圧迫を解放するタイミングとすることができる。この場合には、足首側部分Ａに対する圧迫時間と膝側部分Ｂに対する圧迫時間を略同じにできる。又、参考例でのマッサージ動作は、制御装置３９での制御により、施療部２２での膝側部分Ｂへの圧迫と施療部２１での足首側部分Ａの圧迫とを同期させるとともに、これらの圧迫を解放するタイミングも同期させることもできる。
【００３８】
図６及び図７は本発明の一実施形態を示している。この実施形態は、基本的には参考例と同じであるから、参考例と同じ構成については参考例と同じ符号を付して、その構成および作用の説明を省略する。
【００３９】
下腿の足首側部分Ａをマッサージする施療袋２６用のエアーチューブ３６には、エアー生成器３１の吐出し口と第１給排気弁３２との間に位置して、電磁式の開閉弁４５が取付けられている。更に、エアーチューブ３６には、第１給排気弁３２と施療袋２６との間に位置して圧力センサ４６が接続されている。この圧力センサ４６は、下腿の足首側部分Ａをマッサージする一対の内側施療袋２７の膨脹収縮に先立って膨脹される施療袋２６の圧力を検出するもので、その検出情報は制御装置３９に入力される。圧力センサ４６から入力された値が所定の値を超えた場合に、制御装置３９は、マッサージが終わるまで開閉弁４５を閉じた状態に維持するようになっている。以上説明した点以外の構成は、図６及び図７に示されない構成を含めて参考例と同じである。
【００４０】
この一実施形態のマッサージ機１の足載せ台３を用いて着座者の下腿をマッサージする場合を説明する。
【００４１】
始めに、制御装置３９の制御に従い、第１給排気弁３２がエアー生成器３１と第１エアーチューブ３６とを連通する給気ポジションに切換わるととともに開閉弁４５が開かれる。この時点では、第２、第３の給排気弁３３、３４は、いずれもエアー生成器３１と施療袋２７、２９との連通を断つ排気ポジションに保持されている。こうした弁制御と同時に、エアー生成器３１が駆動されるので、図７（Ａ）に示すように収縮している各施療袋２６に、エアー生成器３１で生成された圧縮空気が第１エアーチューブ３６を通して夫々導かれ、これらの袋２６が同期して膨脹する。
【００４２】
こうして膨張する施療袋２６が、それに重なっている施療袋２７を、図７（Ｂ）に示すように施療溝２５に既に収容されている下腿の足首側部分Ａにその側方から押付けるようになると、その時点から施療袋２６内の空気圧が上昇する。この圧力上昇は圧力センサ４６で検出されるから、設定圧力に達した時点で制御装置３９は、開閉弁４５を閉じ状態に切換え、以後マッサージが終わるまでこの閉じ状態を保持させる。それにより、施療袋２７が足首側部分Ａに接した状態に保持される。この場合、圧力センサ４６が検出する設定圧力は、施療袋２６が施療袋２７を介して足首側部分Ａを軽微に接する程度にするとよい。
【００４３】
次に、エアー生成器３１と施療袋２７とを連通する第２給排気弁３３の給気ポジションと、エアー生成器３１と施療袋２７との連通を断つ第２給排気弁３３の排気ポジションとが交互に所定回数を繰返されるように、制御装置３９が第２給排気弁３３を制御する。
【００４４】
第２給排気弁３３が給気ポジションにある時には、エアー生成器３１で生成された圧縮空気が第２エアーチューブ３７を通して各施療袋２７に夫々導かれて、これらの袋２７が同期して膨脹する。この膨張に伴い図７（Ｃ）に示すように施療溝２５に既に収められている下腿の足首側部分Ａをその幅方向両側から挟んで圧迫できる。第２給排気弁３３が排気ポジションにある時には、各施療袋２７から排出されて第２エアーチューブ３７を通り第２給排気弁３３に戻された空気が、この弁３３の排気ポートを通って大気中に放出される。この排気に伴い施療袋２７が収縮して、足首側部分Ａの圧迫された個所が弛緩される。
【００４５】
このように施療袋２７が膨縮している時に、制御装置３９は、第３給排気弁３４を給気ポジションと排気ポジションとに交互に切換える制御を行って、施療袋２９に対してエアー生成器３１で生成された圧縮空気を給排気して、各施療袋２９を繰返し膨縮させる。これら施療袋２９の膨縮により、施療溝２５に既に収められている下腿の膝側部分をその幅方向両側から挟む圧迫と弛緩とを繰返して、膝側部分をマッサージできる。
【００４６】
この場合、参考例と同様に施療袋２７の膨張完了を待って施療袋２９の膨張を行なうとともに、これら施療袋２７、２９の収縮を同期させるように、制御装置３９による給排気弁３３、３４の制御タイミングを設定してもよい。又は、施療袋２７の膨縮と施療袋２９の膨縮とを同期させて行なうように、制御装置３９による給排気弁３３、３４の制御タイミングを設定することもできる。
【００４７】
以上のマッサージの終了とともに、制御装置３９での制御により、開閉弁４５が開かれるとともに、第１〜第３の給排気弁３２〜３４が共に排気ポジションに切換えられ、同時に、エアー生成器３１が停止される。それに伴い、施療袋２６から排出される空気が給排気弁３２の排気ポートを通って大気中に放出されるから、施療袋２６が収縮されるとともに、施療袋２７及び２９も収縮される。このように施療溝２５に対する下腿の出し入れの妨げとなることがないように、各施療袋２６、２７、及び２９がいずれも収縮して、次のマッサージに備えて待機する。
【００４８】
この一実施形態においても、下腿の足首側部分Ａと膝側部分Ｂとの太さの違いに拘わらず、太さが細い足首側部分Ａをマッサージするのに必要な圧迫力を、互いに重なった二つの施療袋２６、２７の膨張で得ることができるので、膨張に伴う突出量を大きく確保するために大形で単一の施療袋を使用する必要がない。したがって、参考例と同様な作用を得て本発明の所期の課題を解決できる。
【００４９】
その上、一実施形態では、互いに重なった二つの施療袋２６、２７の内の例えば外側施療袋２６を所定の膨張圧まで膨張させたままで、内側施療袋２７を膨縮させて、足首側部分Ａをその側方からマッサージするので、参考例に比較して所定時間内でのマッサージ回数を更に多くすることができ、効率よくマッサージができる。
【００５０】
この一実施形態において、膨張保持される施療袋への給気制御は、圧力センサに代えてタイマーによる時間制御で行なうこともできる。
【００５１】
本発明は前記一実施形態には制約されない。例えば、一つの施療溝２５に対して施療袋２６、２７を２組設けたが、その内の一組は省略することができ、その際、省略された方の溝側面にはクッション材を装着することが望ましい。又、足載せ台の施療溝は単一でも良く、或いは、下腿が出し入れ可能に収容される単一の施療溝を有した一対の収容部を台本体の幅方向に並設してもよい。
【００５２】
【発明の効果】
請求項１に係る発明によれば、人体の下腿における心臓に遠い方の足首側部分を施療袋の膨縮によりマッサージするのに、大きな施療袋を使用する必要がないことに伴い、これら施療袋の膨縮に要する時間が減って所定時間内での施療袋の膨縮回数を多くできるので、施療溝に収容される下腿をその各部の太さの違いに拘わらず効率良くマッサージ可能であって、このマッサージにおいて、互いに重なった施療袋の内の外側の施療袋を所定の膨張圧まで膨張させるとともにそれ以降マッサージが終わるまで膨張を維持させたままで、内側の施療袋を膨縮させて、人体の下腿の足首側部分をその側方からマッサージするので、所定時間内でのマッサージ回数が多くなり効率よくマッサージができるマッサージ機を提供できる。
【図面の簡単な説明】
【図１】  本発明の参考例に係るマッサージ機を示す斜視図。
【図２】図１のマッサージ機が備える足載せ台をそのカバーを取外して示す斜視図。
【図３】図２の足載せ台が備える下腿足首側部分用施療部のマッサージ動作を示す図。
【図４】図２の足載せ台が備える下腿膝側部分用施療部のマッサージ動作を示す図。
【図５】図２の足載せ台に対する給排気経路の構成を示す系統図。
【図６】  本発明の一実施形態に係るマッサージ機が備える足載せ台に対する給排気経路の構成を示す系統図。
【図７】（Ａ）〜（Ｃ）は図６のマッサージ機が備える足載せ台の下腿足首側部分用施療部のマッサージ動作を示す図。
【符号の説明】
１…マッサージ機
２…椅子本体
３…足載せ台（エアーマッサージ具）
４…エアー給排気装置
２０…台本体（マッサージ具本体）
２１、２２…施療部
２５…施療溝
２６、２７…施療部２１の施療袋
２９…施療部２２の施療袋
３１…エアー生成器
３２〜３４…給排気弁
３６〜３８…エアーチューブ
３９…制御装置
４５…開閉弁
４６…圧力センサ
Ａ…下腿の足首側部分（人体の被施療部）
Ｂ…下腿の膝側部分（人体の被施療部）
【図１】
0004153703.tif 000002
【図２】
0004153703.tif 000003
【図３】
0004153703.tif 000004
【図４】
0004153703.tif 000005
【図５】
0004153703.tif 000006
【図６】
0004153703.tif 000007
【図７】
0004153703.tif 000008